(57)【要約】【課題】  携帯端末が存在する領域に応じて、ＴＶ放送の受信、又は、データ通信によるコンテンツデータの受信の何れか一方が自動的に行えるようにする。【解決手段】  映像ソース切替部５９は、映像処理部６１へ出力する映像ソースを、ＴＶ放送受信部４３より出力される映像ソースから、制御部５５を通じて無線通信部４１より出力される映像ソースへ切替える。映像ソース切替部５９は、映像処理部６１へ出力する映像ソースを、制御部５５を通じて無線通信部４１より出力される映像ソースから、ＴＶ放送受信部４３より出力される映像ソースへ切替える。ＴＶ放送受信部４３より出力される映像ソース、又は制御部５５を通じて無線通信部４１より出力される映像ソースの何れか一方が択一的に映像ソース切替部５９から映像処理部６１へ出力される。【選択図】        図６
2005260758.tif 000002
【特許請求の範囲】
【請求項１】
ＴＶ放送電波の受信及び無線通信によるディジタルデータの受信が行える携帯端末であって、
入力された画像データを表示する画像表示部と、
受信したＴＶ放送電波の強度が、所定の電波強度基準値を超えているか否かを検知する電波強度検知部と、
受信したＴＶ放送電波から抽出される画像データ、又は受信した無線通信によるディジタルデータに含まれる画像データの何れか一方に対して所定のデータ処理を択一的に施した後、前記画像表示部に出力するデータ処理部と、
を備え、
前記データ処理部が、前記電波強度検知部により、前記ＴＶ放送の電波強度が前記基準値を超えていることを検知された場合にはＴＶ放送電波から抽出される画像データに対して、前記ＴＶ放送の電波強度が前記基準値未満であることを検知された場合には前記無線通信によるディジタルデータに対して、夫々所定のデータ処理を施して前記画像表示部に出力するようにした携帯端末。
【請求項２】
請求項１記載の携帯端末において、
前記ディジタルデータが前記携帯端末へ無線通信により伝送されるに際してのデータレートのチェックを行うデータレートチェック部と、
前記データレートチェック部により行われた前記データレートのチェック結果を、前記ディジタルデータの配信元であるディジタルデータ配信サーバへ送信する送信部と、
を更に備える携帯端末。
【請求項３】
請求項２記載の携帯端末において、
前記データレートが、前記ディジタルデータ配信サーバからのディジタルデータを無線送信するための基地局が把握している携帯端末の台数データから類推可能であり、該基地局から携帯端末に提供される携帯端末。
【請求項４】
請求項１記載の携帯端末において、
前記データ処理部が、予め定義された優先度に基づいて、ＴＶ放送電波から抽出される画像データ、又は受信した無線通信によるディジタルデータに含まれる画像データの何れかを優先的に選択する携帯端末。
【請求項５】
請求項１記載の携帯端末において、
前記優先度が、携帯端末のユーザに対する通信コストや、携帯端末が受信した電波の安定度を含む要素に基づいて決定される携帯端末。
【請求項６】
請求項１記載の携帯端末において、
前記受信したＴＶ放送電波から抽出される画像データ、又は受信した無線通信によるディジタルデータに含まれる画像データの何れか一方を一時的に記憶しておくと共に、前記データ処理部からの要求に応じて前記記憶している画像データを出力する画像データ一時記憶部を更に備える携帯端末。
【請求項７】
携帯端末に対してディジタルデータを配信するディジタルデータ配信サーバにおいて、
前記携帯端末から申告される、前記ディジタルデータの前記携帯端末への伝送に際してのデータレートのチェック結果を入力するチェック結果入力部と、
前記チェック結果入力部が入力した前記データレートのチェック結果に基づいて、前記携帯端末へ配信すべきディジタルデータをどのような品質で配信すべきかを決定する通信品質決定部と、
前記通信品質決定部により決定された通信品質で、蓄積されているディジタルデータを、前記申告を行った携帯端末に送信するディジタルデータ送信部と、
を備えるディジタルデータ配信サーバ。
【請求項８】
請求項７記載のディジタルデータ配信サーバにおいて、
前記通信品質決定部が、高品質な広帯域データ通信を行うか、又は低品質な狭帯域データ通信を行うかを決定するディジタルデータ配信サーバ。
【請求項９】
請求項７記載のディジタルデータ配信サーバにおいて、
前記ディジタルデータを配信した前記携帯端末に対して課金処理を行う課金部を更に備えるディジタルデータ配信サーバ。
【請求項１０】
ＴＶ放送電波の受信及び無線通信によるディジタルデータの受信が行える携帯端末と、前記携帯端末に対してディジタルデータを配信するディジタルデータ配信サーバとを備え、
前記携帯端末が、
入力された画像データを表示する画像表示部と、
受信したＴＶ放送電波の強度が、所定の電波強度基準値を超えているか否かを検知する電波強度検知部と、
受信したＴＶ放送電波から抽出される画像データ、又は受信した無線通信によるディジタルデータに含まれる画像データの何れか一方に対して所定のデータ処理を択一的に施した後、前記画像表示部に出力するデータ処理部と、
を有し、
前記データ処理部が、前記電波強度検知部により、前記ＴＶ放送の電波強度が前記基準値を超えていることを検知された場合にはＴＶ放送電波から抽出される画像データに対して、前記ＴＶ放送の電波強度が前記基準値未満であることを検知された場合には前記無線通信によるディジタルデータに対して、夫々所定のデータ処理を施して前記画像表示部に出力するようになっており、
前記ディジタルデータ配信サーバが、
前記携帯端末から申告される、前記ディジタルデータの前記携帯端末への伝送に際してのデータレートのチェック結果を入力するチェック結果入力部と、
前記チェック結果入力部が入力した前記データレートのチェック結果に基づいて、前記携帯端末へ配信すべきディジタルデータをどのような品質で配信すべきかを決定する通信品質決定部と、
前記通信品質決定部により決定された通信品質で、蓄積されているディジタルデータを、前記申告を行った携帯端末に送信するディジタルデータ送信部と、
を有するデータ送／受信システム。
【発明の詳細な説明】
【技術分野】
【０００１】
本発明は、携帯端末、及びディジタルデータ配信サーバを備えるデータ送／受信システムに関する。
【背景技術】
【０００２】
従来、ディジタル放送受信技術において、速やかにデータ補完が行え、且つ、予想外の急激なディジタル電波の途切れによる映像・音声出力の停止確率の低減を可能にすることを目的としたディジタル放送補完方法及びディジタル放送受信システムが提案されている。該提案では、放送電波の瞬断により欠落が予想されるディジタルデータを、放送局からの通信経由、又は放送波経由で事前に取得し端末側で補完用データとして格納しておき、実際に欠落が発生した場合には、ディジタルデータの欠落部分を上記補完用データにより端末側で補完することで放送の途切れを防止する。ディジタルデータの欠落予想には、完全な欠落予測と、欠落が生じる可能性（危険性）の予測とを含む（例えば特許文献１参照）。
【０００３】
【特許文献１】特開2003-298541号公報
【発明の開示】
【発明が解決しようとする課題】
【０００４】
上述した提案によれば、ディジタル放送を例えば移動体で受信する際に、放送電波の瞬断によって映像データが不連続になったり、或いは、映像データに比較して音声が不自然になったりする不具合を解消できる。
【０００５】
ところで、近年、テレビジョン放送（以下、「ＴＶ放送」と表記する）を受信することが可能な携帯端末（携帯電話機）が実用化されており、近い将来、地上波ディジタルＴＶ放送のモバイル放送が開始されれば、地上波ディジタルＴＶ放送を受信することが可能な携帯端末（携帯電話機）の実用化も予測される。一方、携帯端末（携帯電話機）を利用した通信サービスにおいては、データ通信速度の向上に伴って、データ通信技術を利用した動画データを含んだコンテンツデータの提供が開始されている。
【０００６】
よって、今後は、携帯端末（携帯電話機）に対するリアリタイム性を伴った動画データの提供サービス、即ち、ＴＶ放送による動画データの提供と、データ通信による動画データの提供というデュアルサービスの実現が予測される。
【０００７】
従って本発明の目的は、携帯端末がＴＶ放送の受信が可能な領域にいるときには、ＴＶ放送電波が自動的に受信でき、携帯端末がデータ通信によるコンテンツデータの受信が可能な領域にいるときには、データ通信によるコンテンツデータが自動的に受信できるようにすることにある。
【０００８】
また、本発明の別の目的は、携帯端末を備えたデータ送／受信システムにおいて、携帯端末のユーザがデータ受信に伴って支払わなければならない通信コストを抑制できるようにすることにある。
【課題を解決するための手段】
【０００９】
本発明の第１の観点に従う携帯端末は、ＴＶ放送電波の受信及び無線通信によるディジタルデータの受信が行えるものであって、入力された画像データを表示する画像表示部と、受信したＴＶ放送電波の強度が、所定の電波強度基準値を超えているか否かを検知する電波強度検知部と、受信したＴＶ放送電波から抽出される画像データ、又は受信した無線通信によるディジタルデータに含まれる画像データの何れか一方に対して所定のデータ処理を択一的に施した後、上記画像表示部に出力するデータ処理部と、を備え、上記データ処理部が、上記電波強度検知部により、上記ＴＶ放送の電波強度が上記基準値を超えていることを検知された場合にはＴＶ放送電波から抽出される画像データに対して、上記ＴＶ放送の電波強度が上記基準値未満であることを検知された場合には上記無線通信によるディジタルデータに対して、夫々所定のデータ処理を施して上記画像表示部に出力するようにした。
【００１０】
本発明の第１の観点に係る好適な実施形態では、上記ディジタルデータが上記携帯端末へ無線通信により伝送されるに際してのデータレートのチェックを行うデータレートチェック部と、上記データレートチェック部により行われた上記データレートのチェック結果を、上記ディジタルデータの配信元であるディジタルデータ配信サーバへ送信する送信部と、を更に備える。
【００１１】
上記とは別の実施形態では、上記データレートが、上記ディジタルデータ配信サーバからのディジタルデータを無線送信するための基地局が把握している携帯端末の台数データから類推可能であり、その基地局から携帯端末に提供される。
【００１２】
また、上記とは別の実施形態では、上記データ処理部が、予め定義された優先度に基づいて、ＴＶ放送電波から抽出される画像データ、又は受信した無線通信によるディジタルデータに含まれる画像データの何れかを優先的に選択する。
【００１３】
また、上記とは別の実施形態では、上記優先度が、携帯端末のユーザに対する通信コストや、携帯端末が受信した電波の安定度を含む要素に基づいて決定される。
【００１４】
更に、上記とは別の実施形態では、上記受信したＴＶ放送電波から抽出される画像データ、又は受信した無線通信によるディジタルデータに含まれる画像データの何れか一方を一時的に記憶しておくと共に、上記データ処理部からの要求に応じて上記記憶している画像データを出力する画像データ一時記憶部を更に備える。
【００１５】
本発明の第２の観点に従うディジタルデータ配信サーバは、携帯端末に対してディジタルデータを配信するもので、上記携帯端末から申告される、上記ディジタルデータの上記携帯端末への伝送に際してのデータレートのチェック結果を入力するチェック結果入力部と、上記チェック結果入力部が入力した上記データレートのチェック結果に基づいて、上記携帯端末へ配信すべきディジタルデータをどのような品質で配信すべきかを決定する通信品質決定部と、上記通信品質決定部により決定された通信品質で、蓄積されているディジタルデータを、上記申告を行った携帯端末に送信するディジタルデータ送信部と、を備える。
【００１６】
本発明の第２の観点に係る好適な実施形態では、上記通信品質決定部が、高品質な広帯域データ通信を行うか、又は低品質な狭帯域データ通信を行うかを決定する。
【００１７】
上記とは別の実施形態では、上記ディジタルデータを配信した上記携帯端末に対して課金処理を行う課金部を更に備える。
【００１８】
本発明の第３の観点に従うデータ送／受信システムは、ＴＶ放送電波の受信及び無線通信によるディジタルデータの受信が行える携帯端末と、上記携帯端末に対してディジタルデータを配信するディジタルデータ配信サーバとを備え、上記携帯端末が、入力された画像データを表示する画像表示部と、受信したＴＶ放送電波の強度が、所定の電波強度基準値を超えているか否かを検知する電波強度検知部と、受信したＴＶ放送電波から抽出される画像データ、又は受信した無線通信によるディジタルデータに含まれる画像データの何れか一方に対して所定のデータ処理を択一的に施した後、上記画像表示部に出力するデータ処理部と、を有し、上記データ処理部が、上記電波強度検知部により、上記ＴＶ放送の電波強度が上記基準値を超えていることを検知された場合にはＴＶ放送電波から抽出される画像データに対して、上記ＴＶ放送の電波強度が上記基準値未満であることを検知された場合には上記無線通信によるディジタルデータに対して、夫々所定のデータ処理を施して上記画像表示部に出力するようになっており、上記ディジタルデータ配信サーバが、上記携帯端末から申告される、上記ディジタルデータの上記携帯端末への伝送に際してのデータレートのチェック結果を入力するチェック結果入力部と、上記チェック結果入力部が入力した上記データレートのチェック結果に基づいて、上記携帯端末へ配信すべきディジタルデータをどのような品質で配信すべきかを決定する通信品質決定部と、
上記通信品質決定部により決定された通信品質で、蓄積されているディジタルデータを、上記申告を行った携帯端末に送信するディジタルデータ送信部と、を有する。
【発明の効果】
【００１９】
本発明によれば、携帯端末がＴＶ放送の受信が可能な領域にいるときには、ＴＶ放送電波が自動的に受信でき、携帯端末がデータ通信によるコンテンツデータの受信が可能な領域にいるときには、データ通信によるコンテンツデータが自動的に受信できるようにすることができる。
【００２０】
また、本発明によれば、携帯端末を備えたデータ送／受信システムにおいて、携帯端末のユーザがデータ受信に伴って支払わなければならない通信コストを抑制できるようにすることができる。
【発明を実施するための最良の形態】
【００２１】
以下、本発明の実施の形態を、図面により詳細に説明する。
【００２２】
図１は、本発明の一実施形態に係るデータ送／受信システムの全体構成を示す説明図である。
【００２３】
上記データ送／受信システムは、図１に示すように、コンテンツ配信サ−バ１と、複数のデータ有線伝送線路３１〜３ｎと、複数のデータ送／受信基地局５１〜５ｎと、テレビ放送（以下、「ＴＶ放送」と表記する）の基地局７と、携帯端末９とを含む。コンテンツ配信サ−バ１と各々のデータ送／受信基地局５１〜５ｎとの間は、夫々データ有線伝送線路３１〜３ｎを通じて接続されている。コンテンツ配信サ−バ１を始め、複数のデータ有線伝送線路３１〜３ｎ、複数のデータ送／受信基地局５１〜５ｎ、及びＴＶ放送の基地局７は、データ配信受信可能エリア１１内の適宜箇所に配置されている。また、ＴＶ放送の基地局７は、データ配信受信可能エリア１１内に含まれるＴＶ放送受信可能エリア１３内の適宜箇所に配置されている。コンテンツ配信サーバ１、データ有線伝送線路３１〜３ｎ、データ送／受信基地局５１〜５ｎ、及び携帯端末９によりデータ通信システムを構成する。なお、ＴＶ放送の基地局は、符号７で示したものを含めて複数設置されているが、図１では、図示と説明の都合上、符号７で示したもののみ記載した。また、携帯端末についても、符号９で示したものを含めて複数台存在しているが、上記と同様に、図１では、図示と説明の都合上、符号９で示したもののみ記載した。
【００２４】
コンテンツ配信サ−バ１は、携帯端末９を介して該携帯端末９のユーザに提供するために多種多様のディジタルデータ（例えば動画デ−タや、音声データ等）をコンテンツとして自身の管理下にあるデータベース（ＤＢ）（図示しない）に蓄積している。コンテンツ配信サ−バ１は、データ送／受信基地局５１〜５ｎ、及びデータ有線伝送線路３１〜３ｎを通じて携帯端末９側から発せられるコンテンツの配信要求を受信すると、該配信要求に応じたコンテンツを上記ＤＢ（図示しない）から読み出す。そして、該コンテンツを、データ有線伝送線路３１〜３ｎ、及びデータ送／受信基地局５１〜５ｎを通じて携帯端末９側へ配信する。コンテンツ配信サ−バ１は、また、上記ＤＢ（図示しない）に蓄積されている個々のコンテンツ別に設定された課金（のための単価を示す）データを保持しており、該課金データに基づいて、個々の携帯端末９（のユーザ）毎に、配信を行ったコンテンツについて定期的に課金処理を行う。
【００２５】
各データ送／受信基地局５１〜５ｎは、データ有線伝送線路３１〜３ｎを通じてコンテンツ配信サ−バ１から送信されるコンテンツ（ディジタルデータ）を入力して、データ配信受信可能エリア１１内に存在する、上記配信要求を発した携帯端末９に対して、上記コンテンツ（ディジタルデータ）を無線送信する。各データ送／受信基地局５１〜５ｎは、また、データ配信受信可能エリア１１内に存在する携帯端末９から無線送信される上述したコンテンツの配信要求を受信し、該配信要求を、データ有線伝送線路３１〜３ｎを通じてコンテンツ配信サ−バ１へ送信する。
【００２６】
ＴＶ放送の基地局７は、ＴＶ放送局（図示しない）からの放送電波を中継して、ＴＶ放送受信可能エリア１３内に存在する携帯端末９へ無線伝送する。
【００２７】
携帯端末９は、本来の機能である携帯電話機としての（相手方端末との間の）通話機能に加えて、データ送／受信基地局５１〜５ｎ、及びデータ有線伝送線路３１〜３ｎを通じてコンテンツ配信サーバ１との間で通信を行うことにより、コンテンツ配信サーバ１から上記伝送経路を通じて送信される各種コンテンツを受信する機能を有する。携帯端末９は、上記諸機能に加えて、ＴＶ放送の基地局７を介してＴＶ放送局（図示しない）からの放送電波を受信する機能をも有する。携帯端末９は、ＴＶ放送の電波強度を適宜の時間間隔でチェックすることにより、自身がＴＶ放送受信可能エリア１３内に存在していると認識したとき、コンテンツ配信サーバ１側からの各種コンテンツを受信している場合には、該コンテンツの受信からＴＶ放送の受信へと自動切替を行う。携帯端末９は、更に、ＴＶ放送の電波強度を適宜の時間間隔でチェックすることにより、自身がＴＶ放送受信可能エリア１３外に移動したことを認識したとき、ＴＶ放送を受信している場合には、ＴＶ放送の受信から上記各種コンテンツの受信へと自動切替を行う。
【００２８】
図２は、図１に記載した携帯端末９におけるＴＶ放送又はディジタルデータ（コンテンツ）の受信動作を示すフローチャートである。
【００２９】
図２において、携帯端末９は、現にＴＶ放送を受信している状態で、まず、ＴＶ放送の電波強度を適宜の時間間隔で（定期的又は随時）チェックする（ステップＳ２１）。このチェックの結果、ＴＶ放送の電波強度が、（携帯端末９がＴＶ放送受信可能エリア１３内に存在していることを示す）所定強度値を超えているときには、携帯端末９自身がＴＶ放送受信可能エリア１３内に存在していると判断する（ステップＳ２２でYES）。そして、そのままＴＶ放送の受信を継続すると共に（ステップＳ２３）、ステップＳ２１に復帰する。
【００３０】
一方、上記チェックの結果、ＴＶ放送の電波強度が、上記所定強度値未満であるときには、携帯端末９自身がＴＶ放送受信可能エリア１３外に移動したと判断する（ステップＳ２２でNO）。そして、ＴＶ放送の受信から上記各種コンテンツの受信へと自動切替を行うと共に（ステップＳ２４）、ステップＳ２１に復帰する。
【００３１】
図１に記載の携帯端末９が、図２に記載の処理動作を実行することにより、携帯端末９がＴＶ放送受信可能エリア１３内に存在するときには、課金の対象になる各種コンテンツの受信から、原則として課金の対象にならないＴＶ放送の受信に自動切替されるので、ユーザに対する課金の負担を低減させることができる。また、携帯端末９がＴＶ放送受信可能エリア１３からデータ配信受信可能エリア１１へと移動したことにより、ＴＶ放送が受信し難くなった場合には、ＴＶ放送の受信から各種コンテンツの受信へと自動的に切替るので、ユーザは携帯端末９を通じたＴＶ放送及び各種コンテンツの視聴を連続的に行うことができる。
【００３２】
図３、及び図４は、図１に記載のデータ送／受信システムにおいて、携帯端末９が高品位で配信されるコンテンツの受信が不可能な領域（高品位配信受信不可能領域）から可能な領域（高品位配信受信可能領域）に移動した場合のコンテンツ配信サーバ１の処理動作の一例を示す説明図である。
【００３３】
図３、及び図４において、コンテンツ配信サーバ１は、データ有線伝送線路３１〜３ｎ、及びデータ送／受信基地局５１〜５ｎを通じて、高品位配信受信不可能領域、即ち、データ配信受信可能エリア１１に存在する携帯端末９に対しては、例えば64kbpsの低品位配信で携帯端末９のユーザが所望するコンテンツを送信する。コンテンツ配信サーバ１は、また、データ有線伝送線路３１〜３ｎ、及びデータ送／受信基地局５１〜５ｎを通じて、高品位配信受信可能領域２７に存在する携帯端末９に対しては、例えば384kbpsの高品位配信（即ち、より高品質な広帯域データ通信）で携帯端末９のユーザが所望するコンテンツを送信する。
【００３４】
なお、図４において、データ送／受信基地局５ｎ−ｉは、自局の領域である高品位配信受信不可能領域１１ａ内に携帯端末９が現に何台存在しているかを把握することが可能である。同様に、データ送／受信基地局５ｎ−ｊも、自局の領域である高品位配信受信可能領域２７内に携帯端末９が現に何台存在しているかを把握することが可能である。
【００３５】
よって、例えばデータ送／受信基地局５ｎ−ｊが把握している携帯端末９の台数情報から類推が可能なデータレートを、符号２９で示すように携帯端末９に報知することにより、携帯端末９から符号３１で示すように、該データレートがコンテンツ配信サーバ１に申告される。即ち、携帯端末９からコンテンツ配信サーバ１に対し、コンテンツ配信サーバ１において予め帯域幅に応じて用意されている複数の配信用コンテンツの中から、可能な限り高品位なコンテンツを選択して配信するよう、要求することになる。
【００３６】
なお、上記データレートのチェックは、携帯端末９側で行われる。携帯端末９では上記データレートのチェックが、例えばデータ送／受信基地局５１〜５ｎから放射される電波の強度や、EC/IO等を確認することでおおまかに行われる。
【００３７】
図５は、図３、及び図４において、携帯端末９が高品位配信受信不可能領域１１から高品位配信受信可能領域２７に移動したことを検知したときの、携帯端末９の処理動作と、コンテンツ配信サーバ１によるコンテンツ配信の品質切替の処理動作とを示すフローチャートである。
【００３８】
図５において、まず、携帯端末９が上述した態様でデータレートのチェックを行い、そのチェック結果をコンテンツ配信サーバ１へ申告する（ステップＳ３１）。
この申告を受けると、コンテンツ配信サーバ１は、この申告されたデータレートに基づいて、広帯域を確保すべきか否か、換言すれば、384kbps程度の高品位配信（即ち、より高品質な広帯域データ通信）で携帯端末９のユーザが所望するコンテンツを送信すべきか否かチェックする（ステップＳ３２）。このチェックの結果、広帯域を確保すべきであると判断すると（ステップＳ３２でYES）、コンテンツ配信サーバ１は、上述したＤＢ（図示しない）中から広帯域向けの高品位コンテンツを選択して、広帯域向けの高品位コンテンツを該携帯端末９に対し配信する（ステップＳ３３）。
【００３９】
一方、上記チェックの結果、広帯域を確保すべきではないと判断すると（ステップＳ３２でNO）、コンテンツ配信サーバ１は、上述したＤＢ（図示しない）中から狭帯域向けの低品位コンテンツを選択して、狭帯域向けの低品位コンテンツを該携帯端末９に対し配信する（ステップＳ３４）。
【００４０】
図６は、本発明の一実施形態に係るデータ送／受信システムが備える携帯端末９の構成を示す機能ブロック図である。
【００４１】
上述した携帯端末９は、図６に示すように、無線通信部４１と、ＴＶ放送受信部４３と、通信状態検知部４５と、操作入力部４７と、バッテリ４９と、スピーカ５１と、マイクロフォン（マイク）５３と、制御部５５と、制御部用メモリ５７と、映像ソース切替部５９と、映像処理部６１と、映像処理部用メモリ６３と、表示部（ＬＣＤパネル）６５とを備える。
【００４２】
無線通信部４１は、制御部５５の制御下で、例えば上述したコンテンツ配信サーバ１へのコンテンツの配信要求の送信や、コンテンツ配信サーバ１から配信されるコンテンツの受信などのデータ通信サービスに係わる無線通信を行う。無線通信部４１は、また、携帯端末９の本来の機能である携帯電話機としての（相手方端末との間の）通話機能に係わる無線通信をも行う。上記２種類の無線通信は、択一的に行われる。
【００４３】
ＴＶ放送受信部４３は、ＴＶ放送局（図示しない）から放射され、例えば図１で示したＴＶ放送の基地局７で中継されるＴＶ放送の電波を専ら受信し、該受信したＴＶ放送の電波を復調して画像データ（映像データ）については映像ソース切替部５９に、また、音声データについては制御部５５に、夫々出力する。
【００４４】
通信状態検知部４５は、制御部５５の制御下で、例えば無線通信部４１が受信したコンテンツ配信サーバ１から配信されるコンテンツを含んだ電波の強度や、ＴＶ放送受信部４３が受信したＴＶ放送の電波の強度などを指数として検知する。通信状態検知部４５は、また、制御部５５の制御下で、例えば無線通信部４１が受信できた単位時間当たりのコンテンツのデータ量、又はＴＶ放送受信部４３が受信できた単位時間当たりの放送データの量などを算出することにより、それらデータ量を指数として検知する。通信状態検知部４５は、また、制御部５５の制御下で、例えば無線通信部４１がデータ送／受信基地局５１〜５ｎを通じてコンテンツ配信サーバ１との間で行ったデータ通信のエラー訂正の回数を、指数として検知する。
【００４５】
通信状態検知部４５は、上記各検知結果を制御部５５に出力する。
【００４６】
映像ソース切替部５９は、制御部５５の制御下で、映像処理部６１へ出力する映像ソースを、ＴＶ放送受信部４３より出力される映像ソースから、制御部５５を通じて無線通信部４１より出力される映像ソースへ切替える。映像ソース切替部５９は、また、制御部５５の制御下で、映像処理部６１へ出力する映像ソースを、制御部５５を通じて無線通信部４１より出力される映像ソースから、ＴＶ放送受信部４３より出力される映像ソースへ切替える。これにより、ＴＶ放送受信部４３より出力される映像ソース、又は制御部５５を通じて無線通信部４１より出力される映像ソースの何れか一方が択一的に映像ソース切替部５９から映像処理部６１へ出力される。
【００４７】
映像処理部６１は、制御部５５の制御下で、映像ソース切替部５９を通じて与えられる映像ソ−スに必要なデータ処理（画像処理）を施して、表示部６５に出力する。
【００４８】
映像処理部用メモリ６３には、例えば映像処理部６１が上記データ処理（画像処理）を行うのに必要なデータや、上記データ処理（画像処理）を行った後のデータ等が記憶される。
【００４９】
操作入力部４７には、ユーザが制御部５５に対して種々の指令を与えるのに必要な各種のキー（図示しない）が配置されている。これらのキー（図示しない）をユ−ザが押圧操作することによって、夫々所定の電圧信号がユーザからの命令（指令）として、操作入力部４７より制御部５５に出力される。
【００５０】
バッテリ４９は、制御部５５を始めとする上述した各部（無線通信部４１、ＴＶ放送受信部４３、通信状態検知部４５、制御部用メモリ５７、映像ソース切替部５９、映像処理部６１、映像処理部用メモリ６３、及び表示部６５等）に対して夫々駆動電圧を供給する。
【００５１】
スピーカ５１は、制御部５５を通じて無線通信部４１から出力される音声データ、又は制御部５５を通じてＴＶ放送受信部４３から出力される音声データの何れか一方を、択一的に音響として出力する。
【００５２】
マイク５３には、該携帯端末９のユーザが例えば相手方端末（図示しない）との間で通話を行う際などに、該携帯端末９のユーザより発せられた音声が入力される。マイク５３に入力された音声は、制御部５５を通じて無線通信部４１へ出力される。上記音声は、無線通信部４１から電波として放射されることで、所定の通話回線（詳細な図示と説明は、ここでは省略する）を経て相手方端末（図示しない）へ伝送される。
【００５３】
制御部用メモリ５７には、例えば制御部５５が上記各部の制御を行うのに必要なデータや、上記制御を行った後のデータ等が記憶される。
【００５４】
制御部５５は、操作入力部４７を通じてユーザから入力された各種の命令（指令）に基づいて、無線通信部４１、ＴＶ放送受信部４３、通信状態検知部４５、制御部用メモリ５７、映像ソース切替部５９、映像処理部６１、及び表示部６５の駆動を制御する。制御部５５は、通信状態検知部４５から出力される上記各指数に応じて、無線通信部４１、又はＴＶ放送受信部４３のどちらがより安定した受信を継続できるか判断する。そして、安定した受信が継続可能な方を選択すると、映像ソース切替部５９を制御して、上記選択した方から出力される映像ソースが映像処理部６１へ出力されるようにする。上記選択では、例えば（課金等の）通信コストや、受信した電波の安定度等について、予め定義された優先度が使用される。即ち、該定義された優先度に基づいて、優先度が高いと判断された方の映像ソースが選択される。
【００５５】
図７は、図６に記載の携帯端末９が受信したＴＶ放送電波からの映像ソースデータの受信感度の推移を示すタイミングチャートである。
【００５６】
図７において、時間Ｔ１から時間Ｔ２までは、ＴＶ放送電波からの映像ソースデータの受信感度は概ね良好である。これは、携帯端末９が例えば図１で示したＴＶ放送受信可能エリア１３内に存在していたためと判断される。しかし、時間Ｔ２を経過すると、上記感度は略段階的に低下し、時間Ｔ３が経過した後は、劣悪な状態で推移する。これは、携帯端末９が、時間Ｔ２から時間Ｔ３までの間に、例えば図１で示したＴＶ放送受信可能エリア１３からデータ配信受信可能エリア１１へと移動したためと判断される。
【００５７】
図８は、図６に記載の携帯端末９が受信したＴＶ放送電波からの映像ソースデータ、及びデータ通信からの映像ソースデータの受信感度の推移を示すタイミングチャートである。
【００５８】
図８（ａ）には、図７で説明したＴＶ放送電波からの映像ソースデータの受信感度の推移が示されている。また、図８（ｂ）には、図６に記載の携帯端末９が受信したデータ通信からの映像ソースデータの受信感度の推移が示されている。図８（ｂ）において、時間Ｔ２と時間Ｔ３との間の時間Ｔ２´から時間Ｔ３より後の時間Ｔ４に達するまでの間は、データ通信からの映像ソースデータの受信感度が略リニアに上昇し、時間Ｔ４より後では、上記受信感度は略一定の状態（良好な状態）で推移している。これは、時間Ｔ２´で携帯端末９がＴＶ放送受信可能エリア１３からデータ配信受信可能エリア１１へと移動を開始し、時間Ｔ４でデータ配信受信可能エリア１１内に入ったためと判断される。
【００５９】
図８（ｃ）には、図６に記載の携帯端末９が映像ソースデータの取得を、ＴＶ放送電波の映像ソースデータからデータ通信の映像ソースデータに切替るに際しての双方の映像ソースデータの受信感度の推移が示されている。図８（ｃ）において、時間Ｔ３でＴＶ放送電波の映像ソースデータの感度が劣悪な状態になってから、データ通信の映像ソースデータの感度が略一定の状態（良好な状態）になる時間Ｔ４でデータ通信の映像ソースデータへの切替が行われると、時間Ｔ３から時間Ｔ４までの間は、上記何れの映像ソースデータも携帯端末９からユーザに提供されないことになる。
【００６０】
図９は、図６に記載の携帯端末９が備える制御部５５の処理動作と、図１（図３、及び図４）で示したコンテンツ配信サーバ１によるコンテンツ配信の品質切替の処理動作とを示すフローチャートである。
【００６１】
図９において、まず、携帯端末９の通信状態検知部４５（図６で示した）が、携帯端末９が受信中のＴＶ放送の電波強度をチェックし（ステップ７１）、電波強度が所定の閾値よりも高いか否かを判断する（ステップＳ７２）。ここで、電波強度が所定の閾値よりも高いと判断すれば（ステップＳ７２でYES）、ＴＶ放送電波の受信を継続する（ステップＳ７３）。一方、電波強度が所定の閾値よりも低いと判断すれば（ステップＳ７２でNO）、ＴＶ放送電波の受信からデータ通信によるコンテンツの受信へと切替を行うと共に（ステップＳ７４）、通信状態検知部４５によりデータ通信の状態をチェックする（ステップＳ７５）。
【００６２】
次に、通信状態検知部４５によるエラーレートのチェックが行われる。このチェックにおいて、エラーレートが所定の閾値よりも低いと判断された場合には（ステップＳ７６でYES）、データ通信による受信を行う（ステップＳ７７）。しかし、上記チェックにおいて、エラーレートが所定の閾値よりも高いと判断された場合には（ステップＳ７６でNO）、上述した映像ソースデータの優先度判定処理に移行する（ステップＳ７８）。次に、ＴＶ放送電波の受信の方が優先度が高いか否かをチェックする（ステップＳ７９）。このチェックの結果高いと判断すれば（ステップＳ７９でYES）、ステップＳ７１で示した処理動作に復帰する。
【００６３】
一方、上記チェックの結果低いと判断すれば（ステップＳ７９でNO）、ステップＳ７７で示した処理動作に移行する。データ通信による受信を行う場合、携帯端末９は、データ受信エラーレートをコンテンツ配信サーバ１へ申告する。この申告を受信すると、コンテンツ配信サーバ１では、上述した（図５のステップＳ３２で示した）広帯域を確保すべきか否かのチェックを行う（ステップＳ８０）。このチェックの結果、広帯域を確保すべきであると判断した場合には（ステップＳ８０でYES）、広帯域向けの高品位コンテンツを選択して、広帯域向けの高品位コンテンツを該携帯端末９に対し配信すると共に（ステップＳ８１）、携帯端末９に対し、ステップＳ７５で示した処理動作に復帰するよう通知する。上記チェックの結果、広帯域を確保すべきではないと判断した場合には（ステップＳ８０でNO）、狭帯域向けの低品位コンテンツを選択して、狭帯域向けの低品位コンテンツを該携帯端末９に対し配信すると共に（ステップＳ８２）、携帯端末９に対し、ステップＳ７５で示した処理動作に復帰するよう通知する。
【００６４】
図１０は、本発明の一実施形態に係るデータ送／受信システムが備える携帯端末の変形例の構成を示す機能ブロック図である。
【００６５】
本変形例に係る携帯端末９´は、映像ソース切替部５９にバッファメモリ８５を備えた点で、図６に示した携帯端末９と構成が相違する。その他の構成については、図６に示したものと同一であるので、図１０において、図６で示した物と同一物には同一符号を付してそれらの詳細な説明を省略する。
【００６６】
上述したように、バッファメモリ８５を映像ソース切替部５９に備えることにより、映像ソース切替部５９による映像ソースの切替が行われる前の映像データをバッファメモリ８５内に蓄積しておくことで、映像ソースの切替時に、表示部６５に表示される映像の途切れを防止することが可能になる。
【００６７】
図１１は、図１０に記載の携帯端末９が受信したＴＶ放送電波からの映像ソースデータ、及びデータ通信からの映像ソースデータの受信感度を示すタイミングチャートである。
【００６８】
図１１（ａ）には、図７、及び図８（ａ）で説明したＴＶ放送電波からの映像ソースデータの受信感度の推移が示されている。また、図１１（ｂ）には、図８（ｂ）で説明したデータ通信からの映像ソースデータの受信感度の推移が示されている。図１１（ｂ）では、図７、及び図８で示した時間Ｔ２よりもかなり前の時間Ｔ１´で、データ通信からの映像ソースデータの受信感度が良好な状態に立ち上がっている。図１１（ｃ）は、時間Ｔ１´でデータ通信からの映像データの上記バッファメモリ８５への蓄積が開始されることを示している。
【００６９】
以上、本発明の好適な実施形態及びその変形例を説明したが、これは本発明の説明のための例示であって、本発明の範囲をこの実施形態や変形例にのみ限定する趣旨ではない。本発明は、他の種々の形態でも実施することが可能である。
【図面の簡単な説明】
【００７０】
【図１】本発明の一実施形態に係るデータ送／受信システムの全体構成を示す説明図。
【図２】図１に記載した携帯端末におけるＴＶ放送又はディジタルデータ（コンテンツ）の受信動作を示すフローチャート。
【図３】図１に記載したデータ送／受信システムにおいて、携帯端末が高品位配信受信不可能領域から高品位配信受信可能領域に移動した場合のコンテンツ配信サーバの処理動作の一例を示す説明図。
【図４】図１に記載したデータ送／受信システムにおいて、携帯端末が高品位配信受信不可能領域から高品位配信受信可能領域に移動した場合のコンテンツ配信サーバの処理動作の一例を示す説明図。
【図５】図３、及び図４において、携帯端末が高品位配信受信不可能領域から高品位配信受信可能領域に移動したことを検知したときの、携帯端末の処理動作と、コンテンツ配信サーバによるコンテンツ配信の品質切替の処理動作とを示すフローチャート。
【図６】本発明の一実施形態に係るデータ送／受信システムが備える携帯端末の構成を示す機能ブロック図。
【図７】図６に記載した携帯端末が受信したＴＶ放送電波からの映像ソースデータの受信感度を示すタイミングチャート、
【図８】図６に記載した携帯端末が受信したＴＶ放送電波からの映像ソースデータ、及びデータ通信からの映像ソースデータの受信感度を示すタイミングチャート。
【図９】図６に記載した携帯端末が備える制御部の処理動作と、コンテンツ配信サーバによるコンテンツ配信の品質切替の処理動作とを示すフローチャート。
【図１０】本発明の一実施形態に係るデータ送／受信システムが備える携帯端末の変形例の構成を示す機能ブロック図。
【図１１】図１０に記載した携帯端末が受信したＴＶ放送電波からの映像ソースデータ、及びデータ通信からの映像ソースデータの受信感度を示すタイミングチャート。
【符号の説明】
【００７１】
１  コンテンツ配信サ−バ
３１〜３ｎ  データ有線伝送線路
５１〜５ｎ  データ送／受信基地局
７  テレビ放送（ＴＶ放送）の基地局
９  携帯端末
１１  データ配信受信可能エリア
１３  ＴＶ放送受信可能エリア
４１  無線通信部
４３  ＴＶ放送受信部
４５  通信状態検知部
４７  操作入力部
４９  バッテリ
５１  スピーカ
５３  マイクロフォン（マイク）
５５  制御部
５７  制御部用メモリ
５９  映像ソース切替部
６１  映像処理部
６３  映像処理部用メモリ
６５  表示部（ＬＣＤパネル）
８５  バッファメモリ
【図１】
2005260758.tif 000003
【図２】
2005260758.tif 000004
【図３】
2005260758.tif 000005
【図４】
2005260758.tif 000006
【図５】
2005260758.tif 000007
【図６】
2005260758.tif 000008
【図７】
2005260758.tif 000009
【図８】
2005260758.tif 000010
【図９】
2005260758.tif 000011
【図１０】
2005260758.tif 000012
【図１１】
2005260758.tif 000013